(57)【要約】      （修正有）【課題】臨床診療時における歯科診療台でのヒトの歯列の角度と位置関係を再現できる模型取付け台を提供する。【解決手段】模型取付け台は、下側プレート１に下顎模型９の基底面側が取り付けられ、上側プレート２に上顎模型８の基底面側が取り付けて構成する。厚紙や金属板やプラスチック板を用いたＶの字形状をした２枚のスタンドプレート３とこれに直交して嵌め合える３つの基底面を付与した上顎プレート２と下顎プレート１を井の字形を形成するように組み立て、これらを接着したり溶接したりして構成する。上顎プレート２に設けた長穴を通し模型取付けネジ５にて上顎プレート２に上顎模型９を固定し、同様に下顎プレート１に設けた長穴を通し、模型取付けネジにて下顎プレート１に下顎模型８を固定すると、対をなす上顎模型８と下顎模型９が上方に向け開口状態で固定し設置できる。【選択図】図１
0003165357.tif 000002
【実用新案登録請求の範囲】
【請求項１】
上顎模型と下顎模型を開口状態にて固定し設置できる模型取付け台にあって、水平面に対して上顎模型は９０度から７５度の範囲、下顎模型は７５度から５０度の範囲での角度を持ち、また真上と左右方向に対してはそれぞれ６０度から４５度の範囲での角度にて設置できる面を持つことを特徴とする模型取付け台。
【請求項２】
プラスチック板を用いて輪ゴムで組上げる構成であることを特徴とする請求項１に記載の模型取付け台。
【考案の詳細な説明】
【技術分野】
【０００１】  本考案は、歯科実習用模型や患者説明用模型を開口状態にて固定し設置できる模型取付け台に関するものである。
【背景技術】
【０００２】  一般的に展示目的などにおいて、歯科実習用模型や患者説明用模型を開口状態にて固定し設置する場合、歯科用咬合器やヒトの頭部を模倣した「シミュレーター」と呼ばれる機器を用いて実施することが多い。【０００３】  これらの歯科用咬合器やシミュレーターなどは解剖学における顎運動を再現させることを目的としているため、咬合運動を再現させることが可能ではあるが機器としてみた場合複雑にならざるを得ない。【０００４】  展示目的などにおいては咬合運動などの動きを伴わせる必要がなく、本来歯科実習用模型や患者説明用模型をアピールしたいのに、逆に歯科用咬合器やシミュレーターのほうが目を引いてしまうことも多々ある。【０００５】  他方、展示目的以外、すなわち歯科衛生士の歯科実習等においても全く咬合運動を必要としない実習分野が存在するが、同様に咬合運動を再現させることが可能な歯科用咬合器やシミュレーターなどを利用している。【０００６】  目的とする実習には不要な機能を組み込まれた機器を使用するため操作が煩雑であり誤った使用方法で実習を行ってしまう危険性も伴ってしまい、結果、間違った技術を習得してしまうことも懸念される。
【先行技術文献】
【特許文献】
【０００７】
【特許文献１】特開２００４−４２３号公報
【考案の概要】
【考案が解決しようとする課題】
【０００８】    本考案はこれら問題点を解決すべく、開口状態にて固定し設置できる模型取付け台を提供することを課題とするものである。【０００９】  本考案者は種々検討を行なった結果、臨床診療時における歯科診療台でのヒトの歯列の角度と位置関係を再現できる、すなわち水平面に対して上顎模型は９０度から７５度の範囲、下顎模型は７５度から５０度の範囲での角度を持ち、また真上と左右方向に対してはそれぞれ６０度から４５度の範囲での角度にて設置できる面を持つ構造体を見い出して、本考案を完成した。
【課題を解決するための手段】
【００１０】  厚紙や金属板やプラスチック板などを加工し、これらを張り合わせたり溶接したり接着したりし、水平面に対して上顎模型は９０度から７５度の範囲、下顎模型は７５度から５０度の範囲での角度を持ち、また真上と左右方向に対してはそれぞれ６０度から４５度の範囲での角度にて設置できる面を持つ構造体を構成させる。【００１１】  なお、プラスチック板を用いて図３に示す手順にて輪ゴムなどで組上げる構成であると分解組立てが簡単に行えるので持ち運びの利便性が向上する。また、輪ゴムによる滑り止め効果も発生し模型取付け台としての安定性も向上する。
【考案の効果】
【００１２】  本考案の模型取付け台に歯科実習用模型や患者説明用模型を取付けることにより、予め決めた角度と位置関係、すなわち臨床診療時における歯科診療台でのヒトの歯列の角度と位置関係を再現した、水平面に対して上顎模型は９０度から７５度の範囲で下顎模型は７５度から５０度の範囲での角度を持った状態で設置できる。また真上と左右方向に対してそれぞれ６０度から４５度の範囲設置できる面を持つ構造体であるので向きを変えることも瞬時に可能である。【００１３】  特に歯科衛生士学校等、複数の学生に学習指導する際に、使用操作が煩雑な歯科用咬合器やシミュレーターなどと異なり画一的な教育が実行できるため間違った技術を習得させてしまうことも払拭できる。【００１４】
【図面の簡単な説明】
【００１５】
【図１】本考案の模型取付け台に上下顎模型を取り付けた際の状態を示す図である。
【図２】本考案の模型取付け台の好ましい一例における外観を示す斜視図である。
【図３−ａ−ｂ】本考案の模型取付け台の角度範囲を示す図である。
【図４−ａ】輪ゴムを用いた組立て式の好ましい一例における構成を示す図である。
【図４−ｂ】輪ゴムを用いた組立て式の好ましい一例における外観を示す斜視図である。
【図５】顎運動、咬合運動を再現させることが可能な歯科用咬合器を示す図である。
【図６】顎運動、咬合運動を再現させることが可能なヒトの頭部を模倣したシミュレーターを示す図である。
【考案を実施するための形態】
【００１６】  以下、本考案の模型取付け台の好ましい具体例を図面に示して、本考案を詳細に説明するが、本考案は、図面に例示したものに限定されるものではない。
図１に示されるように、本考案の模型取付け台は、下側プレート１に下顎模型９の基底面側が取り付けられ、上側プレート２に上顎模型８の基底面側が取り付けられて使用されるものであって、上顎模型８と下顎模型９とを取り外した際の外観が図２に示されている。尚、図２の下側プレート１と上側プレート２にそれぞれ１個ずつ設けられている長穴４は、模型取付けネジ５を用いて顎模型を取り付けるための取付け穴であり、下側プレート１と上側プレート２の材質については厚紙や金属板やプラスチック板が好ましい。
【００１７】  この図２に例示した本考案の模型取付け台の構造の詳細及び作用効果について、図３を用いて説明する。図３（ａ）に示されるように本考案の模型取付け台には、臨床診療時における歯科診療台でのヒトの歯列の角度と位置関係を再現した、水平面に対して上顎模型は９０度から７５度の範囲で下顎模型は７５度から５０度の範囲での角度を持った状態で、図３（ｂ）に示されるような真上と左右方向に対してそれぞれ６０度から４５度の範囲での角度にて設置できる面を有した下側プレート１および上側プレート２を接合できる斜面を
有した１組のスタンドプレート３にて構成される。
【００１８】  これら下側プレート１および上側プレート２および１組のスタンドプレート３は、厚紙や金属板やプラスチック板にて作成されていてそれぞれの素材に適した加工方法、すなわち、張り合わせたり溶接したり接着したりし接合されている。また、補強プレート６を追加することによりさらに剛性を高めることも可能である。
【実施例】
【００１９】  図３に示される構成内容を有し、図２に示される外観の本考案の模型取付け台を作製し、この模型取付け台の上側プレートと下側プレートにそれぞれ、市販の上顎模型と下顎模型を取付け、図１の外観として使用したところ、臨床診療時における歯科診療台でのヒトの歯列の角度と位置関係を再現した、水平面に対して上顎模型は９０度から７５度の範囲で下顎模型は７５度から５０度の範囲での角度を持った状態で設置できた。また真上と左右方向に対してそれぞれ６０度から４５度の範囲設置できる面を持つ構造体であるので向きを変えることも瞬時に可能であった。さらに、図４（ａ）に示す切り欠き付き各プレート１‘、２‘、３‘を用いて図４（ｂ）に示す輪ゴム７で組み立てれば分解組立てが簡単に行えるので持ち運びの利便性が向上した。また、輪ゴムによる滑り止め効果も発生し模型取付け台としての安定性も向上した。
【産業上の利用可能性】
【００２０】    本考案の模型取付け台は、歯科実習用模型や患者説明用模型を開口状態にて固定し設置するのに非常に有用である
【符号の説明】
【００２１】１  下側プレート
１‘  切り欠き付き下側プレート
２  上側プレート
２‘  切り欠き付き上側プレート
３  スタンドプレート
３‘  切り欠き付きスタンドプレート
４  長穴
５  模型取付けネジ
６  補強プレート
７  輪ゴム
８  下顎模型
９  上顎模型
【図１】
0003165357.tif 000003
【図２】
0003165357.tif 000004
【図３】
0003165357.tif 000005
【図４】
0003165357.tif 000006
【図５】
0003165357.tif 000007
【図６】
0003165357.tif 000008
【手続補正書】
【提出日】平成22年10月22日(2010.10.22)
【手続補正１】
【補正対象書類名】明細書
【補正対象項目名】全文
【補正方法】変更
【補正の内容】
【考案の詳細な説明】
【技術分野】
【０００１】  本考案は、歯科大学や歯科衛生士学校の実技授業に供する歯科実習用模型や歯科医院などで歯科治療を受ける受診者に見せるための患者説明用模型を上方に向け開口状態で固定し設置できる模型取付け台に関するものである。
【背景技術】
【０００２】  一般的に展示目的などにおいて、歯科実習用模型や患者説明用模型を開口状態で固定し設置する場合、歯科用咬合器やヒトの頭部を模倣した「シミュレーター」と呼ばれる機器を用いて実施することが多い。図５に歯科用咬合器の一例を示すが、対をなす上顎模型と下顎模型を顎運動や咬合運動を再現できる蝶番構造体にて連結したものであり、これを開口させ机上に置く。また図６にシミュレーターの一例を示すが、対をなす上顎模型と下顎模型を模擬顔面に取付け、これを机の天板縁端にクランプして設置する。【０００３】  これらの歯科用咬合器やシミュレーターなどは解剖学における顎運動を再現させることを目的としているため、咬合運動を再現させることが可能ではあるが、機器としてみた場合複雑にならざるを得ない。【０００４】  展示目的などにおいては咬合運動などの動きを伴わせる必要がなく、本来歯科実習用模型や患者説明用模型をアピールしたいのに、逆に歯科用咬合器やシミュレーターのほうが目を引いてしまうことも多々ある。【０００５】  他方、展示目的以外、すなわち歯科衛生士の歯科実習等においても全く咬合運動を必要としない実習分野が存在するが、同様に咬合運動を再現させることが可能な歯科用咬合器やシミュレーターなどを利用している。【０００６】  このように目的とする実習には不要な機能を組み込まれた機器を使用するため操作が煩雑であり誤った使用方法で実習を行ってしまう危険性も伴っている。また結果として、間違った技術を習得してしまうことも懸念される。
【先行技術文献】
【特許文献】
【０００７】
【特許文献１】特開２００４−４２３号公報
【考案の概要】
【考案が解決しようとする課題】
【０００８】    本考案はこれら問題点を解決すべく、歯科実習用模型や患者説明用模型を上方に向け開口状態で固定し設置できる模型取付け台を提供することを課題とするものである。【０００９】  本考案者は種々検討を行なった結果、歯科臨床診療時における歯科診療台での受診者の歯列の角度と位置関係を再現できるものとした。すなわち、対をなす上顎模型と下顎模型を上方に向け開口状態で固走し設置するものであり、平行に立てたＶの字形状をした２枚のスタンドプレートに直交して上顎プレートと下顎プレートを嵌め合い、井の字形を形成する。この上顎プレートに設けた長穴を通し模型取付けネジにて上顎プレートに上顎模型を固定する。同様に下顎プレートに設けた長穴を通し模型取付けネジにて下顎プレートに下顎模型を固定する。なお顔側面方向から見たときの上顎歯列と下顎歯列の開口角度に相当するスタンドプレートのＶの字展開角度は、上顎模型側を仰角９０度から７５度の範囲で、また下顎模型側を仰角７５度から５０度の範囲で既定することにより歯科臨床診療時における歯科診療台での受診者の歯列の角度と位置関係を再現できる。さらに顔面頭頂方向から見たとき、真上あるいは左右どちらかに傾けて置き換えることが可能な３つの基底面を上顎プレートと下顎プレートに付与する。真上を向けて置くための基底面を水平面とすれば、右または左へ傾けて置き換えるための基底面の傾き角度はそれぞれ仰角として６０度から４５度の範囲とすることにより歯科臨床診療時における歯科診療台での受診者の歯列の角度と位置関係を再現できることを見いだして本考案を完成した。
【課題を解決するための手段】
【００１０】  上記課題を解決可能な本考案の模型取付け台は、厚紙や金属板やプラスチック板を用いたＶの字形状をした２枚のスタンドプレートとこれに直交して嵌め合える３つの基底面を付与した上顎プレートと下顎プレートを井の字形を形成するように組み立ててこれらを接着したり溶接したりして構成するが、上顎プレートに設けた長穴を通し模型取付けネジにて上顎プレートに上顎模型を固定し、同様に下顎プレートに設けた長穴を通し模型取付けネジにて下顎プレートに下顎模型を固定すると、対をなす上顎模型と下顎模型が上方に向け開口状態で固定し設置でき、顔側面方向から見たときの上顎歯列と下顎歯列の開口角度に相当するスタンドプレートのＶの字展開角度を上顎模型側は仰角９０度から７５度の範囲で、また下顎模型側は仰角７５度から５０度の範囲で形成し、かつ、上顎プレートと下顎プレートに真上を向けて置くための水平基底面と、右または左へ傾けて置き換えるための傾斜基底面を左右それぞれ仰角として６０度から４５度の範囲で形成することにより、歯科臨床診療時における歯科診療台での受診者の歯列の角度と位置関係を再現できることを特徴とする。【００１１】  また、平行に立てたＶの字形状をした２枚のスタンドプレートに直交して上顎プレートと下顎プレートを嵌め合い井の字形を形成した際に、井の字中央空洞部に補強プレートを嵌め込み、輪ゴムを２枚のスタンドプレートＶの字形状上顎プレート側谷部上方を跨いで架けた後、スタンドプレート下方縁端外側から内側に回し、上顎プレート上方先端部へ架け、スタンドプレート下方縁端と上顎プレート上方先端部間をスタンドプレート垂直縁端に架けることにより輪ゴムの張力が作用し模型取付け台全体の剛性を高めことができる。なお、言うまでもなく下顎プレート側も同様の手順にて輪ゴムを架けることにより分解組立ても簡単に行え、持ち運びの利便性が向上する。また、机上に設置したときスタンドプレート下方縁端に架かる輪ゴムにより模型取付け台の滑り止め効果も生み出し模型取付け台としての安定性も向上する。なお、輪ゴムを架けやすくするために、スタンドプレートＶの字形状上顎プレート側および下顎プレート側谷部に各１ヶ所、同上顎プレート側および下顎プレート側垂直縁端に各２ヶ所、上顎プレートおよび下顎プレート上方先端部に各１ヶ所の切り欠きや出っ張りを設けておくことが望ましい。
【考案の効果】
【００１２】  本考案の模型取付け台に歯科実習用模型や患者説明用模型を取付けることにより、対をなす上顎模型と下顎模型を上方に向け開口状態で設置できるものであり、顔側面方向から見たときの上顎模型は仰角９０度から７５度の範囲、また下顎模型は仰角７５度から５０度の範囲で固定されている。さらに顔面頭頂方向から見たとき、真上あるいは右または左への傾き角度がそれぞれ仰角として６０度から４５度の範囲でどちらかに傾けて置き換えることが可能な３つの基底面を有しているから、歯科臨床診療時における歯科診療台での受診者の歯列の角度と位置関係を再現することが可能である。【００１３】  特に歯科衛生士学校等、複数の学生に学習指導する際に、使用操作が煩雑な歯科用咬合器やシミュレーターなどと異なり画一的な教育が実行できるため間違った技術を習得させてしまうことも払拭できる。【００１４】
【図面の簡単な説明】
【００１５】
【図１】本考案の模型取付け台に上下顎模型を取り付けた際の状態を示す斜視図である。
【図２】本考案の模型取付け台の好ましい一例における外観を示す斜視図である。
【図３−ａ】本考案の模型取付け台の角度範囲を示す顔側面方向から見た図である。
【図３−ｂ】本考案の模型取付け台の角度範囲を示す顔面頭頂方向から見た図である。
【図４−ａ】輪ゴムを用いた組立て式の好ましい一例における構成を示す図である。
【図４−ｂ】輪ゴムを用いた組立て式の好ましい一例における外観を示す斜視図である。
【図５】顎運動、咬合運動を再現させることが可能な歯科用咬合器を示す斜視図である。
【図６】顎運動、咬合運動を再現させることが可能なヒトの頭部を模倣したシミュレーターを示す斜視図である。
【考案を実施するための形態】
【００１６】  以下、本考案の模型取付け台の好ましい具体例を図面に示して、本考案を詳細に説明するが、本考案は、図面に例示したものに限定されるものではない。
図１に示されるように、本考案の模型取付け台は、下側プレート１に下顎模型９の基底面側が取り付けられ、上側プレート２に上顎模型８の基底面側が取り付けられて使用されるものであって、上顎模型８と下顎模型９とを取り外した際の外観が図２に示されている。厚紙や金属板やプラスチック板を用いたＶの字形状をした２枚のスタンドプレート３とこれに直交して嵌め合える３つの基底面を付与した上顎プレート２と下顎プレート１を井の字形を形成するように組み立ててこれらを接着したり溶接したりして構成するが、上顎プレート２に設けた長穴４を通し模型取付けネジ５にて上顎プレート２に上顎模型９を固定し、同様に下顎プレート１に設けた長穴４を通し模型取付けネジ５にて下顎プレート１に下顎模型８を固定すると、対をなす上顎模型９と下顎模型８が上方に向け開口状態で固定し設置できる。
【００１７】  この図２に例示した本考案の模型取付け台の構造の詳細及び作用効果について、図３を用いて説明する。図３（ａ）に示されるように本考案の模型取付け台には、顔側面方向から見たときの上顎歯列と下顎歯列の開口角度に相当するスタンドプレート３のＶの字展開角度を上顎模型側は仰角９０度から７５度の範囲で、また下顎模型側は仰角７５度から５０度の範囲で形成され、かつ、図３（ｂ）に示されるように顔面頭頂方向から見たときの対をなす上顎模型９と下顎模型８の左右の傾き角度に相当する、上顎プレート２と下顎プレート１の真上を向けて置くための水平基底面と、右または左へ傾けて置き換えるための傾斜基底面を左右それぞれ仰角として６０度から４５度の範囲で形成されて構成される。
【００１８】  これら下顎プレート１および上顎プレート２および２枚のスタンドプレート３は、厚紙や金属板やプラスチック板にて作成されていてそれぞれの素材に適した加工方法、すなわち、接着したり溶接したりし接合されている。また、同様素材を用いた補強プレート６を追加することによりさらに剛性を高めることも可能である。
【実施例】
【００１９】  図３に示される構成内容を有し、図２に示される外観の本考案の模型取付け台を作製し、この模型取付け台の上顎プレートと下顎プレートにそれぞれ、市販の上顎模型と下顎模型を取付け、図１の外観として使用したところ、対をなす上顎模型と下顎模型が上方に向け開口状態で固定し設置でき、歯科臨床診療時における歯科診療台での受診者の歯列の角度と位置関係を再現できる。さらに顔面頭頂方向から見たときの歯科臨床診療時における歯科診療台での受診者の歯列の角度と位置関係を、瞬時に置き換えて再現できた。さらに、図４（ａ）に示す切り欠き付き各プレート１１、２２、３３を用いて図４（ｂ）に示す輪ゴム７で組み立てれば分解組立てが簡単に行えるので持ち運びの利便性が向上した。また、輪ゴムによる滑り止め効果も発生し模型取付け台としての安定性も向上した。
【産業上の利用可能性】
【００２０】  本考案の模型取付け台は、歯科実習用模型や患者説明用模型を上方に向け開口状態で固定し設置するのに非常に有用である
【符号の説明】
【００２１】１  下顎プレート
２  上顎プレート
３  スタンドプレート
４  長穴
５  模型取付けネジ
６  補強プレート
７  輪ゴム
８  下顎模型
９  上顎模型
１１  切り欠き付き下顎プレート
２２  切り欠き付き上顎プレート
３３  切り欠き付きスタンドプレート
【手続補正２】
【補正対象書類名】実用新案登録請求の範囲
【補正対象項目名】全文
【補正方法】変更
【補正の内容】
【実用新案登録請求の範囲】
【請求項１】
Ｖの字形状をした２枚のスタンドプレートとこれに直交して嵌め合える３つの基底面を付与した上顎プレートと下顎プレートを井の字形を形成するように組み立てて構成し、上顎プレートに設けた長穴を通し模型取付けネジにて上顎プレートに上顎模型を固定し、同様に下顎プレートに設けた長穴を通し模型取付けネジにて下顎プレートに下顎模型を固定すると、対をなす上顎模型と下顎模型が上方に向け開口状態で固定し設置でき、顔側面方向から見たときの上顎歯列と下顎歯列の開口角度に相当するスタンドプレートのＶの字展開角度を上顎模型側は仰角９０度から７５度の範囲で、また下顎模型側は仰角７５度から５０度の範囲で形成し、かつ、上顎プレートと下顎プレートに真上を向けて置くための水平基底面と、右または左へ傾けて置き換えるための傾斜基底面を左右それぞれ仰角として６０度から４５度の範囲で形成することにより、歯科臨床診療時における歯科診療台での受診者の歯列の角度と位置関係を再現できることを特徴とする模型取付け台。
【請求項２】
平行に立てたＶの字形状をした２枚のスタンドプレートに直交して上顎プレートと下顎プレートを嵌め合い井の字形を形成した際に、井の字中央空洞部に補強プレートを嵌め込み、輪ゴムを２枚のスタンドプレートＶの字形状上顎プレート側谷部上方を跨いで架けた後、スタンドプレート下方縁端外側から内側に回し、上顎プレート上方先端部へ架け、スタンドプレート下方縁端と上顎プレート上方先端部間をスタンドプレート垂直縁端に架け、同様に輪ゴムを２枚のスタンドプレートＶの字形状下顎プレート側谷部上方を跨いで架けた後、スタンドプレート下方縁端外側から内側に回し、下顎プレート上方先端部へ架け、スタンドプレート下方縁端と下顎プレート上方先端部間をスタンドプレート垂直縁端に架けることにより分解組立てが可能であることを特徴とする請求項１に記載の模型取付け台。
【手続補正３】
【補正対象書類名】図面
【補正対象項目名】全図
【補正方法】変更
【補正の内容】
【図１】
0003165357.tif 000009
【図２】
0003165357.tif 000010
【図３】
0003165357.tif 000011
【図４】
0003165357.tif 000012
【図５】
0003165357.tif 000013
【図６】
0003165357.tif 000014